(57)【要約】【課題】室内環境が特殊条件に維持される特殊室に対して標準仕様の照明器具を支障なく設置する。【解決手段】照明器具３は、光源ランプ６を筐体７に収容してなる器具本体４と、該器具本体に装着される導光発光体５からなる。器具本体を仕切板２の外側に設置し、仕切板に開口部１１を形成し、開口部を通して導光発光体を器具本体に装着し、開口部と導光発光体との間の隙間をシール材１２により封止する。導光発光体としては厚肉の透明アクリル板等の透光性を有する樹脂成型板を使用し、表面所望箇所に導光された照明光を散乱させるための切欠部１０を形成しても良い。【選択図】図２
2008226577.tif 000002
【特許請求の範囲】
【請求項１】
室内環境を高温高湿等の特殊条件に維持するべく仕切板によって周囲より仕切られて形成される特殊室を対象として、該特殊室内を照明するための照明器具を前記仕切板に設置するための構造であって、
前記照明器具は、光源ランプを筐体に収容してなる器具本体と、該器具本体に装着される導光発光体からなり、前記筐体の底部に形成されたスリットに導光発光体の基部が装着されることによって、前記光源ランプからの照明光が導光発光体を通して導光されて該導光発光体自体が特殊室内において発光する構成とされ、
前記器具本体が前記仕切板の外側に配置されて前記筐体の底部が該仕切板の外面に密着せしめられ、
該筐体に形成されている前記スリットの位置において前記仕切板が切除されて前記導光発光体を挿通させるためのスリット状の開口部が形成され、
前記特殊室の内側から、前記仕切板に形成された開口部および前記筐体に形成されているスリットを通して導光発光体の基部が前記器具本体内に挿入せしめられ、
該導光発光体と前記開口部との間の隙間がシール材により封止されてなることを特徴とする照明器具の設置構造。
【請求項２】
請求項１記載の照明器具の設置構造であって、
導光発光体は厚肉の透明アクリル板等の透光性を有する樹脂成型板からなり、該導光発光体の表面所望箇所には導光された照明光を散乱させるための切欠部が形成されてなることを特徴とする照明器具の設置構造。
【発明の詳細な説明】
【技術分野】
【０００１】
本発明は、特殊環境に維持される室に照明器具を設置するための構造に関する。
【背景技術】
【０００２】
各種の実験室や動物の飼育室、植物の栽培室等においては室内環境を高温高湿といった特殊な条件に維持する場合があるが、そのような特殊室内に標準的な照明器具を設置することは安定な動作や寿命が保証されないので早期の故障や頻繁な保守が不可避であり、したがって通常は高温仕様や防水仕様といった特殊仕様の照明器具を設置して特殊環境に対処している。
【０００３】
また、そのような特殊室への照明器具の設置は、特殊環境に暴露されやすい露出状態で行うよりも可及的に隠蔽状態で設置することが好ましいことから、たとえば室内上部に設置する場合には天井面に直付けするよりも天井内に埋め込むことが一般的であり、そのような埋め込み形の照明器具として特許文献１や特許文献２に示されるような天井埋込形面照明装置が知られている。
これは、光源を収容した筐体を天井内に埋め込んでその下部の開口部を蓋体によって塞ぐとともに、蓋体に導光発光板を取り付けた構成とされ、蓋体によって筐体および光源を天井内に隠蔽状態で設置するとともに、光源からの照明光を導光発光板により導光することによって導光発光板全体を室内において面的に発光させることにより照明効果を得るようにしたものである。
【特許文献１】特開平４−２０６１０６号公報
【特許文献２】特開平７−０１４４１０号公報
【発明の開示】
【発明が解決しようとする課題】
【０００４】
しかし、特殊仕様の照明器具は標準仕様のものに比べて当然にかなり高価であるばかりでなく、如何に特殊仕様といえども頻繁な保守は必要であるし、特殊環境に長期にわたって暴露されれば耐用性や保守性には問題が残る。
また、特許文献１、２に示されるような面照明装置は光源や筐体は天井裏に隠蔽されるものの、筐体に装着される蓋体は室内に露出するので全体としては半隠蔽状態とされるに過ぎず、したがって必ずしも充分な隠蔽効果は望めずやはり耐用性や保守性に難がある。また、光源の発熱による影響が室内に及ぶことも想定されるので、厳密な温度管理を行う場合には適用し難いものでもある。
【０００５】
上記事情に鑑み、本発明は特殊室に対しても標準仕様の照明器具を支障なく設置することのできる有効適切な構造を提供することを目的としている。
【課題を解決するための手段】
【０００６】
本発明は、室内環境を高温高湿等の特殊条件に維持するべく仕切板によって周囲より仕切られて形成される特殊室を対象として、該特殊室内を照明するための照明器具を前記仕切板に設置するための構造であって、前記照明器具は、光源ランプを筐体に収容してなる器具本体と、該器具本体に装着される導光発光体からなり、前記筐体の底部に形成されたスリットに導光発光体の基部が装着されることによって、前記光源ランプからの照明光が導光発光体を通して導光されて該導光発光体自体が特殊室内において発光する構成とされ、前記器具本体が前記仕切板の外側に配置されて前記筐体の底部が該仕切板の外面に密着せしめられ、該筐体に形成されている前記スリットの位置において前記仕切板が切除されて前記導光発光体を挿通させるためのスリット状の開口部が形成され、前記特殊室の内側から、前記仕切板に形成された開口部および前記筐体に形成されているスリットを通して導光発光体の基部が前記器具本体内に挿入せしめられ、該導光発光体と前記開口部との間の隙間がシール材により封止されてなることを特徴とする。
【０００７】
導光発光体としては、厚肉の透明アクリル板等の透光性を有する樹脂成型板からなり、該導光発光体の表面所望箇所には導光された照明光を散乱させるための切欠部が形成されてなるものが好適に採用可能である。
【発明の効果】
【０００８】
本発明によれば、光源ランプからの照明光を導光発光体により導光して特殊室内において発光させることにより充分な照明効果が得られることはもとより、器具本体の全体を完全に仕切板の外側に配置し、かつ導光発光体を挿通させるために仕切板に形成した開口部の隙間をシール材により封止するので、特殊室内に維持される特殊環境の悪影響が器具本体に及んでしまう余地はなく、それ故に器具本体としては一般的な標準仕様のもので充分であって特殊仕様とする場合に比較して充分にコストダウンを図ることができるし、保守も軽減できる。
また、導光発光体に照明光を散乱させるための切欠部を任意の位置に任意の形状で形成することにより、様々な照明効果を得ることができる。
【発明を実施するための最良の形態】
【０００９】
本発明の一実施形態を図１〜図２を参照して説明する。
本実施形態はたとえば茸類を栽培するための室への適用例であって、その室内環境は高温高湿に維持され、特に室内相対湿度は常に１００％に維持されるものである。
上述したようにそのような特殊環境の室内に標準的な照明器具を設置することは正常な動作は保証されず、また高度の防湿性を確保し得るような特殊仕様の照明器具は高価であるので、本実施形態では特許文献１、２に示したような面照明装置に類する照明器具を以下のような構造で設置するものとしている。
【００１０】
図中符号１は特殊室であり、２はその天井を区画形成している仕切板である。図では特殊室１の天井に相当する仕切板２のみを図示するに留めているが、特殊室１は当然に天井のみならず壁面や床面も同様に区画されていて、その内部空間は周囲環境（通常は常温常湿）とは隔絶されて上記のような特殊環境に維持可能とされている。
【００１１】
本実施形態における照明器具３は、仕切板２の外側に設置される器具本体４と、仕切板２を挿通する状態で設置されて器具本体４に装着される導光発光体５からなる。
器具本体４は、蛍光灯からなる光源ランプ６を矩形断面の長尺の筺体７内に収容してなるものであり、筐体７はその一側部が点検口８として開閉可能とされ、筐体７の底部には導光発光体５を装着するためのスリット９が予め形成されている。
導光発光体５は特許文献１、２に示されている面照明装置における導光発光板と同様に機能するものであって、その基部（図示例では上縁部）が上記のスリット９から筐体７内に挿入されて光源ランプ６からの照明光を導光することにより、特殊室１内においてこの導光発光体５自体が発光して照明効果が得られるものとなっている。
なお、本実施形態では導光発光体５の素材として厚肉の透明アクリル板等の樹脂成型板を使用している。また、図示例の導光発光体５の幅寸法は光源ランプ６としての蛍光灯の長さに相当していて、その導光発光体５の先端面（下端面）全体から下向きに発光させるようにしているが、さらに導光発光体５の片面に形成した三角形状の切欠部１０から斜め側方へも発光させるものとしている。
【００１２】
上記構成の照明器具３を仕切板２に対して設置するには、図２（ａ）に示すようにその設置位置において仕切板２を切除して導光発光体５を挿通させるためのスリット状の開口部１１を予め形成し、その外側に器具本体４を配置して筐体７の底面を仕切板２の外面に密着させるとともに、スリット９と開口部１１とを合致させる。その際、筐体７の側部の点検口８を開放することで筐体７の内側での作業を支障なく行うことができる。
そして、仕切板２の内側から（つまり特殊室１の内部から）導光発光体５の基部を開口部１１およびスリット９を通して筐体７内に挿入し、筐体７に対して適宜連結固定した後、図２（ｂ）に示すように開口部１１と導光発光体５との間の隙間を適宜のシール材１２により水密および気密を保持可能に封止してしまい、以上により作業完了となる。
【００１３】
上記の構造によって仕切板２に照明器具３を設置すれば、光源ランプ６からの照明光が導光発光体５により導光されて特殊室１内において発光することにより充分な照明効果が得られることはもとより、器具本体４の全体が完全に仕切板２の外側に配置され、かつ導光発光体５を挿通させるために仕切板２に形成した開口部１１の隙間がシール材１２により封止されてしまうので、器具本体４は特殊室１外に完全に隠蔽した状態で設置されることになる。
したがって、特殊室１内に維持される高温高湿という特殊環境の悪影響が器具本体４に及んでしまう余地はない。勿論、導光発光体５は特殊室１内に露出状態で設置されるものの、それは単なる樹脂成型板からなるものであるので、それに対して何らかの悪影響が及ぶ懸念はない。
そのため、本実施形態の照明器具３、特にその器具本体４は何ら特殊な仕様である必要はなく一般的な照明器具と同様の標準仕様のもので充分であり、またこれを設置するための工事も従来一般の照明器具の設置工事に比べて特に面倒なものでもない。
【００１４】
以上のことから、上記の照明器具３を上記の構造で設置することにより、従来のように特殊仕様の照明器具を用いる場合に比べてイニシャルコストおよびランニングコストを充分に軽減することができる。また、特許文献１、２に示されるような面照明装置を半隠蔽状態で設置する場合に比較すれば、その動作や寿命をより確実に保証し得るし、保守も軽減し得る。
しかも、器具本体４が完全隠蔽状態で設置されて特殊室１とは完全に隔絶されるから、器具本体４が発熱するような場合であってもその影響が特殊室１内に及ぶことはなく、したがって特殊室１内の温度管理を厳密に行うような場合には特に有効である。
【００１５】
以上で本発明の一実施形態を説明したが、上記実施形態はあくまで好適な一例に過ぎず、本発明は器具本体４を特殊室１の外側に設置し、導光発光体５を通すための開口部１１を仕切板２に形成し、その開口部１１の隙間をシール材１２により封止する限りにおいて、その他の細部の具体的な構成は任意であって、たとえば以下のような設計的変更や応用が可能である。
上記実施形態では特殊室１の天井を形成している仕切板２に対して照明器具３を設置する場合について説明したが、特殊室１の壁面を形成している仕切板２や、必要であれば床面を形成している仕切板２に対しても、同様の構造で照明器具３を設置することができることはいうまでもない。
また、上記実施形態における照明器具３は光源ランプ６を蛍光灯とし、したがって導光発光体５は蛍光灯の長さに相当する幅寸法を有する平板状のものとしたが、光源ランプ６としては蛍光灯に限らず各種のランプが使用可能であり、それに応じて導光発光体５の形状もたとえば棒状としたり、ブロック状とする等、適宜の形状とすることができる。
また、導光発光体５を単なる平板状や直棒状とするのではなく、たとえば所望の曲面形状や曲線形状に屈曲加工することも可能であり、それにより導光発光体５からの照明光を所望の方向に向けて発光させるようなことも可能である。
さらに、上記実施形態においては導光発光体５の片面に照明光を散乱させるための三角形状の切欠部１０を設けたが、切欠部１０はそれを省略することも含めてその断面形状や形成位置は任意であって、所望位置に所望形状の切欠部１０を形成することにより様々な照明効果を得ることができる。
【図面の簡単な説明】
【００１６】
【図１】本発明の実施形態である照明器具の設置構造を示す斜視図である。
【図２】同、施工手順を示す側面図である。
【符号の説明】
【００１７】
１  特殊室
２  仕切板
３  照明器具
４  器具本体
５  導光発光体
６  光源ランプ
７  筐体
８  点検口
９  スリット
１０  切欠部
１１  開口部
１２  シール材
【図１】
2008226577.tif 000003
【図２】
2008226577.tif 000004